(57)【要約】【課題】三点認証等を行う際に、複数の読取対象からの情報の読み取りをスムーズに行うことができる。【解決手段】実施形態の読取装置は、筐体と、表示部と、操作部と、読取部と、入力部と、制御部と、を備える。筐体は、折り畳み可能である。表示部は、筐体が開状態において視認可能な表示画面を有する。操作部は、筐体が開状態で操作可能である。読取部は、読取対象から情報を読み取り可能である。入力部は、折り畳まれた状態において、読取部による読み取りを指示可能である。制御部は、読み取り済みの情報が予め設定された情報の組み合わせに含まれる場合、全ての読み取り済みの情報により、組み合わせが満たされるまで入力部による読み取りの指示に応じた情報の読み取りを継続させるとともに、一の読み取り済みの情報が組み合わせに含まれない場合、組み合わせに関する組合せ情報を表示画面に表示させかつ操作部を介して情報の読み取りの再開が指示されるまで情報の読み取りを禁止する。【選択図】図５
2014171476.tif 000002
【特許請求の範囲】
【請求項１】
折り畳み可能な筐体と、
前記筐体が開状態において視認可能な表示画面を有する表示部と、
前記筐体が開状態で操作可能な操作部と、
読取対象から情報を読み取り可能な読取部と、
折り畳まれた状態において、前記読取部による読み取りを指示可能な入力部と、
読み取り済みの前記情報が予め設定された前記情報の組み合わせに含まれる場合、全ての読み取り済みの前記情報により、前記組み合わせが満たされるまで前記入力部による読み取りの指示に応じた前記情報の読み取りを継続させるとともに、一の読み取り済みの前記情報が前記組み合わせに含まれない場合、前記組み合わせに関する組合せ情報を前記表示画面に表示させかつ前記操作部を介して前記情報の読み取りの再開が指示されるまで前記情報の読み取りを禁止する制御部と、
を備えた読取装置。
【請求項２】
前記折り畳まれた状態で、読み取り済みの前記情報が前記組み合わせに含まれないことを報知する報知部を備えた請求項１に記載の読取装置。
【請求項３】
前記報知部は、前記折り畳まれた状態で、読み取り済みの前記情報が前記組み合わせを満たしたことを報知する請求項２に記載の読取装置。
【請求項４】
前記報知部は、読み取り済みの前記情報が前記組み合わせを満たしておらずかつ最後に前記情報が読み取られてから所定時間経過した場合、前記折り畳まれた状態で、読み取り済みの前記情報が前記組み合わせを満たしていないことを報知する請求項２または３に記載の読取装置。
【請求項５】
前記制御部は、読み取り済みの前記情報が前記組み合わせに含まれる場合、読み取り済みの前記情報が前記組み合わせを満たすまで、前記操作部の操作を禁止するとともに、前記組み合わせに含まれない前記情報が読み取られた場合、前記操作部の操作の禁止を解除する請求項１から４のいずれか一に記載の読取装置。
【請求項６】
折り畳み可能な筐体と、前記筐体が開状態において視認可能な表示画面を有する表示部と、前記筐体が開状態で操作可能な操作部と、読取対象から情報を読み取り可能な読取部と、折り畳まれた状態において、前記読取部による読み取りを指示可能な入力部と、を備えた読取装置を制御するコンピュータを、
読み取り済みの前記情報が予め設定された前記情報の組み合わせに含まれる場合、全ての読み取り済みの前記情報により、前記組み合わせが満たされるまで前記入力部による読み取りの指示に応じた前記情報の読み取りを継続させるとともに、一の読み取り済みの前記情報が前記組み合わせに含まれない場合、前記組み合わせに関する組合せ情報を前記表示画面に表示させかつ前記操作部を介して前記情報の読み取りの再開が指示されるまで前記情報の読み取りを禁止する制御部、
として機能させるためのプログラム。
【発明の詳細な説明】
【技術分野】
【０００１】
本発明の実施形態は、読取装置およびプログラムに関する。
【背景技術】
【０００２】
折り畳まれた状態でコードシンボルから情報を読取可能なハンディーターミナルを用いて、看護師，薬，患者それぞれが有するコードシンボルから、看護師，薬，患者それぞれを識別可能な識別情報を読み取り、読み取った複数の識別情報の組み合わせが、予め設定された複数の識別情報の組み合わせを満たしているか否かを判断する技術（所謂、三点認証）がある。
【発明の概要】
【発明が解決しようとする課題】
【０００３】
しかしながら、従来技術においては、折り畳み可能なハンディーターミナルを用いて三点認証を行う場合、ハンディーターミナルを操作する看護師は、一つのコードシンボルから識別情報を読み取る度に、ハンディーターミナルを開状態にして、表示画面に表示された情報を確認しかつ次のコードシンボルからの識別情報の読み取りの指示を行わなければならず、三点認証による看護師の作業をスムーズに行うことができない、という課題がある。
【課題を解決するための手段】
【０００４】
実施形態の読取装置は、筐体と、表示部と、操作部と、読取部と、入力部と、制御部と、を備える。筐体は、折り畳み可能である。表示部は、筐体が開状態において視認可能な表示画面を有する。操作部は、筐体が開状態で操作可能である。読取部は、読取対象から情報を読み取り可能である。入力部は、折り畳まれた状態において、読取部による読み取りを指示可能である。制御部は、読み取り済みの情報が予め設定された情報の組み合わせに含まれる場合、全ての読み取り済みの情報により、組み合わせが満たされるまで入力部による読み取りの指示に応じた情報の読み取りを継続させるとともに、一の読み取り済みの情報が組み合わせに含まれない場合、組み合わせに関する組合せ情報を表示画面に表示させかつ操作部を介して情報の読み取りの再開が指示されるまで情報の読み取りを禁止する。
【図面の簡単な説明】
【０００５】
【図１】図１は、本実施形態にかかる看護支援システムの全体構成を概略的に示す図である。
【図２】図２は、本実施形態かかる看護支援システムが備える端末装置の外観構成を示す図である。
【図３】図３は、本実施形態にかかる看護支援システムが備える端末装置のハードウェア構成を示すブロック図である。
【図４】図４は、本実施形態にかかる看護支援システムが備える端末装置において実行される三点認証の処理の流れを示すフローチャートである。
【図５】図５は、本実施形態にかかる看護支援システムが備える端末装置において実行される三点認証を説明するための図である。
【図６】図６は、本実施形態にかかる看護支援システムが備える端末装置において実行される三点認証を説明するための図である。
【発明を実施するための形態】
【０００６】
以下、添付の図面を参照して、本実施形態にかかる看護支援システムについて説明する。
【０００７】
図１は、本実施形態にかかる看護支援システムの全体構成を概略的に示す図である。図１に示すように、看護支援システム１００は、端末装置１０（読取装置の一例）と、サーバ２０と、を有している。ここで、端末装置１０およびサーバ２０は、同一の病院Ｈ内に設けられている。また、端末装置１０とサーバ２０とは、有線または無線のＬＡＮ（Local  Area  Network）４１を介して通信可能に接続されている。
【０００８】
端末装置１０は、病院Ｈ内の看護師等により携帯される携帯型の情報通信端末である。看護師等は、端末装置１０を用いてサーバ２０にアクセスすることで、患者に対する投薬や輸血等の処置に先立って、患者，看護師，薬剤（輸血）等を照合する三点認証に用いる認証情報や各患者の電子カルテ等を取得することが可能である。
【０００９】
サーバ２０は、Ｗｅｂサーバ，アプリケーションサーバ，データベースサーバ等の機能を有した一または複数のサーバ装置である。サーバ２０は、病院Ｈの看護作業に必要な各種データ（例えば、認証情報、電子カルテ等）を記憶する。そして、サーバ２０は、記憶する各種データを端末装置１０に対して送信可能である。
【００１０】
ここで、認証情報は、上述したように三点認証に用いる情報であり、看護師が患者に対して薬剤を処方する場合等に患者，看護師，薬剤等を特定するためのオーダー情報と対応付けて記憶され、看護師が患者に対して薬剤を処方する場合等に読取部１５（図３参照）により読み取る予め設定された情報の組み合わせを含む。本実施形態では、認証情報は、患者のＩＣカードまたはリストバンドに印字されたバーコードＢＣ（図２参照）から読み取る情報（例えば、患者を識別可能な患者コード）、看護師のネームプレート等に印字されたバーコードＢＣ（図２参照）から読み取る情報（例えば、看護師を識別可能な看護師コードなど）、および患者に投与する薬剤（輸血）等のパッケージ等に印字されたバーコードＢＣ（図２参照）から読み取る情報（例えば、薬剤を識別する商品コード、薬剤の有効期限など）の３種類の情報を含む。
【００１１】
本実施形態では、認証情報は、患者のＩＣカードまたはリストバンドに印字されたバーコードＢＣ（図２参照）から読み取る情報、看護師のネームプレート等に印字されたバーコードＢＣ（図２参照）から読み取る情報および患者に投与する薬剤（輸血）等のパッケージ等に印字されたバーコードＢＣ（図２参照）から読み取る情報の３種類の情報の組み合わせを、予め設定された情報の組み合わせとして含んでいるが、４種類以上の情報の組み合わせを予め設定された情報の組み合わせとして含んでいても良い。
【００１２】
例えば、認証情報は、患者のＩＣカードまたはリストバンドに印字されたバーコードＢＣ（図２参照）から読み取る情報、看護師のネームプレート等に印字されたバーコードＢＣ（図２参照）から読み取る情報、患者に投与する薬剤（輸血）等のパッケージ等に印字されたバーコードＢＣ（図２参照）から読み取る情報、および医師のネームプレート等に印字されたバーコードから読み取る情報（例えば、医師を識別可能な医師コードなど）の４種類の情報の組み合わせを、予め設定された情報の組み合わせとして含んでいても良い。
【００１３】
ここで、図２を用いて、本実施形態にかかる看護支援システム１が備える端末装置１０について簡単に説明する。図２は、本実施形態かかる看護支援システムが備える端末装置の外観構成を示す図である。図２（ａ）は、折り畳まれていない状態（以下、開状態という）の端末装置１０の正面図である。図２（ｂ）は、開状態の端末装置１０の背面図である。
【００１４】
端末装置１０は、折り畳み可能な筐体１１を有する。本実施形態では、筐体１１は、図２に示すように、ヒンジ部１２を介して、第１筐体１３と第２筐体１４とが折り畳み可能に接続されている。第１筐体１３は、図２（ａ）に示すように、ＬＣＤ（Liquid  Crystal  Display）等で構成され、筐体１１が開状態において視認可能な表示画面Ｇを有する表示部１３ａと、表示画面Ｇ上に積層配置され筐体１１が開状態において操作可能な操作部として機能するタッチパネル１３ｂと、を有している。第２筐体１４には、図２（ａ）に示すように、タッチパネル等で構成され、筐体１１が開状態において操作可能な操作部１４ａを有している。
【００１５】
また、第１筐体１３は、折り畳まれた状態（以下、閉状態という）において、後述する読取部１５による読み取りを指示可能な入力部としての読取ボタン１６を有している。また、第２筐体１４は、図２（ｂ）に示すように、三点認証等を行う際、患者のＩＣカードやリストバンド、看護師のネームプレート、薬剤のパッケージ等に印字されたバーコードＢＣなどの読取対象から情報を読み取り可能な読取部１５と、ＬＥＤ（Light  Emitting  Diode）等で構成され、読取部１５により読み取った情報を用いた三点認証の結果等を表示可能な結果表示部１７と、を有している。
【００１６】
本実施形態では、端末装置１０が、読取対象としてのバーコードＢＣから読み取った情報を用いて三点認証を行う例について説明するが、患者のＩＣカードやリストバンド、看護師のネームプレート、薬剤のパッケージ等に埋め込まれた読取対象としてのＲＦＩＤ（Radio  Frequency  Identification）から読み取った情報を用いて三点認証を行うことも可能である。
【００１７】
次に、端末装置１０およびサーバ２０のハードウェア構成について説明する。図３は、本実施形態にかかる看護支援システムが備える端末装置のハードウェア構成を示すブロック図である。
【００１８】
端末装置１０は、情報処理を実行するマイクロコンピュータとして、ＣＰＵ（Central  Processing  Unit）３０１、ＲＯＭ（Read  Only  Memory）３０２、ＲＡＭ（Random  Access  Memory）３０３、主操作部３０４、副操作部３０５、表示部１３ａ、記憶部３０６、読取部１５および通信Ｉ／Ｆ３０７等を備えている。
【００１９】
ＣＰＵ３０１は、ＲＯＭ３０２（または記憶部３０６）に記憶された各種プログラムを実行することにより、端末装置１０を統括的に制御する。ＲＯＭ３０２は、基本動作を行うためのプログラムを記憶している。ＲＡＭ３０３は、端末装置１０の主記憶装置であって、ＣＰＵ３０１のワークエリアとして機能する。
【００２０】
また、ＣＰＵ３０１には、各種の入出力回路（図示せず）を介して、主操作部３０４、副操作部３０５および表示部１３ａが接続されている。主操作部３０４は、タッチパネル１３ｂおよび操作部１４ａを有し、看護師が操作した操作内容をＣＰＵ３０１に通知する。また、副操作部３０５は、読取ボタン１６を含む、閉状態において操作可能な各種ボタンを有し、看護師が操作した操作内容をＣＰＵ３０１に通知する。表示部１３ａは、ＣＰＵ３０１の指示に従い各種の情報を表示する。
【００２１】
また、ＣＰＵ３０１には、各種の入出力回路（図示せず）を介して、記憶部３０６、読取部１５および通信Ｉ／Ｆ３０７が接続されている。記憶部３０６は、ＨＤＤ（Hard  Disk  Drive）やフラッシュメモリ等の記憶媒体であり、ＣＰＵ３０１が実行する各種プログラムや各種設定ファイルを記憶している。
【００２２】
通信Ｉ／Ｆ３０７は、サーバ２０とデータ通信を行うためのインタフェースである。ＣＰＵ３０１は、この通信Ｉ／Ｆ３０７を制御し、サーバ２０との間で種々のデータを送受信する。なお、図示しないが、端末装置１０は、ＲＴＣ（Real  Time  Clock）等の計時装置を具備し、ＣＰＵ３０１は、この計時装置から現在日時を表す日時情報を取得できる。
【００２３】
次に、図３〜６を用いて、本実施形態にかかる看護支援システム１００が備える端末装置１０において実行する三点認証について説明する。図４は、本実施形態にかかる看護支援システムが備える端末装置において実行される三点認証の処理の流れを示すフローチャートである。図５および図６は、本実施形態にかかる看護支援システムが備える端末装置において実行される三点認証を説明するための図である。
【００２４】
図３に示すように、端末装置１０のＣＰＵ３０１は、ＲＯＭ３０２や記憶部３０６に記憶されたプログラムとの協働により、制御部３０８および報知部３０９を実現させる。
【００２５】
制御部３０８は、主操作部３０４が操作されて三点認証の実行が指示されると、主操作部３０４を介して、オーダー情報が入力されたか否かを判断する（ステップＳ４０１）。本実施形態では、制御部３０８は、読取部１５に対して、オーダー情報をコード化したバーコード等の２次元コードが印字されたオーダーシートからのオーダー情報の読み取りを指示する。そして、制御部３０８は、読取部１５により読み取られたオーダー情報を取得する。オーダー情報が入力（取得）されると（ステップＳ４０１：Ｙｅｓ）、制御部３０８は、通信Ｉ／Ｆ３０７を介してサーバ２０にアクセスして、サーバ２０から、入力されたオーダー情報と対応付けて記憶された認証情報を取得する（ステップＳ４０２）。
【００２６】
次いで、制御部３０８は、読取ボタン１６により読取部１５による読み取りが指示されたか否かを判断する（ステップＳ４０３）。読取部１５による読み取りが指示された場合（ステップＳ４０３：Ｙｅｓ）、制御部３０８は、読取部１５に対してバーコードＢＣからの情報の読み取りを指示する（ステップＳ４０４）。看護師等は、図５に示すように、患者のリストバンドＬＢに印字されたバーコードＢＣ、看護師のネームプレートＮＰに印字されたバーコードＢＣおよび患者に投与する薬剤ＭＤのパッケージに印字されたバーコードＢＣのいずれかを、読取部１５がバーコードＢＣから情報を読取可能な読取領域に入れて、読取部１５により情報を読み取らせる。
【００２７】
読取部１５により情報が読み取られると、制御部３０８は、読み取り済みの情報が、取得した認証情報が含む予め設定された情報の組み合わせに含まれるか否かを判断する（ステップＳ４０５）。本実施形態では、制御部３０８は、三点認証の実行が指示されてから初めて読取部１５により情報が読み取られた場合、読み取られた情報が、予め設定された情報の組み合わせに含まれるか否かを判断する。
【００２８】
制御部３０８は、例えば、薬剤ＭＤのパッケージに印字されたバーコードＢＣから情報を読み取った場合など、読み取った情報に薬剤ＭＤの有効期限が含まれている場合、読み取った情報に含まれる商品コードが、予め設定された情報の組み合わせに含まれるか否かに加えて、読み取った情報に含まれる有効期限が現在日時より後であるか否かを判断する。そして、制御部３０８は、読み取った情報に含まれる有効期限が現在日時より前である場合には、読み取られた情報が、予め設定された情報の組み合わせに含まれないと判断する。
【００２９】
三点認証の実行が指示されてから２回目以降に読取部１５により情報が読み取られた場合、制御部３０８は、三点認証の実行が指示されてから最初に情報を読み取った場合と同様にして、最後に読み取られた情報が、予め設定された情報の組み合わせに含まれるか否かを判断する。そして、最後に読み取られた情報が予め設定された情報の組み合わせに含まれる場合、制御部３０８は、最後に読み取られた情報が、既に読み取り済みの情報と一致するか否かを判断する。最後に読み取られた情報が既に読み取り済みの情報と一致しなかった場合、制御部３０８は、最後に読み取られた情報が、予め設定された情報の組み合わせに含まれると判断する。
【００３０】
最後に読み取られた情報が既に読み取り済みの情報と一致した場合、制御部３０８は、最後に読み取られた情報および当該最後に読み取られた情報と一致する読み取り済みの情報の数（以下、情報数という）が、予め設定された情報の組み合わせに含まれる、当該最後に読み取られた情報と一致する情報の数（以下、所定情報数という）により多いか否かを判断する。そして、情報数が所定情報数以下の場合、制御部３０８は、最後に読み取られた情報が、予め設定された情報の組み合わせに含まれると判断する。一方、情報数が所定情報数より多い場合、制御部３０８は、最後に読み取られた情報が、予め設定された情報の組み合わせに含まれないと判断する。すなわち、制御部３０８は、予め設定された情報の組み合わせに含まれる情報および当該情報の数に基づいて、読み取り済みの情報が、予め設定された情報の組み合わせに含まれるか否かを判断する。これにより、例えば、１人の患者に同じ種類の薬剤ＭＤを処方する場合に、予め設定された情報の組み合わせに含まれる同じ種類の薬剤ＭＤの商品コードの数以上の薬剤ＭＤが１人の患者に処方されることを防止できる。
【００３１】
読み取り済みの情報が、予め設定された情報の組み合わせに含まれる場合（ステップＳ４０５：Ｙｅｓ）、制御部３０８は、全ての読み取り済みの情報が、予め設定された情報の組み合わせを満たしたか否かを判断する（ステップＳ４０６）。本実施形態では、制御部３０８は、予め設定された情報の組み合わせに含まれる情報の数が、読み取り済みの情報の数と一致した場合、読み取り済みの情報が、予め設定された情報の組み合わせを満たしたと判断する。
【００３２】
全ての読み取り済みの情報が、予め設定された情報の組み合わせを満たしていないと判断した場合（ステップＳ４０６：Ｎｏ）、制御部３０８は、ステップＳ４０３に戻り、読取ボタン１６により読取部１５による読み取りが指示されたか否かを判断し、読取部１５による読み取りが指示された場合には、読取部１５に対してバーコードＢＣからの情報の読み取りを指示する。すなわち、制御部３０８は、全ての読み取り済みの情報により、予め設定された情報の組み合わせが満たされるまで、読取ボタン１６による読み取り指示に応じた情報の読み取りを継続させる。これにより、看護師は、読み取り済みの情報が予め設定された情報の組み合わせを満たしている間、端末装置１０を閉状態に維持したまま、バーコードＢＣの読み取りを継続することができるので、複数のバーコードＢＣからの情報の読み取りをスムーズに行うことができる。
【００３３】
また、制御部３０８は、読み取り済みの情報が予め設定された情報の組み合わせに含まれる場合、当該読み取り済みの情報が当該予め設定された情報の組み合わせを満たすまで、読取ボタン１６を除く、主操作部３０４および副操作部３０５の操作を禁止するとともに、予め設定された情報の組み合わせに含まれる情報が読み取られた場合、主操作部３０４および副操作部３０５の操作の禁止を解除しても良い。これにより、バーコードＢＣからの情報の読み取りが行われている間に、誤って主操作部３０４および副操作部３０５が操作されて、バーコードＢＣの読み取りが中断されることを防止できる。
【００３４】
一方、全ての読み取り済みの情報が、予め設定された情報の組み合わせを満たしたと判断した場合（ステップＳ４０６：Ｙｅｓ）、報知部３０９は、閉状態で、読み取り済みの情報が予め設定された情報の組み合わせを満たしたことを報知して、三点認証の実行を終了する（ステップＳ４０７）。本実施形態では、報知部３０９は、読み取り済みの情報が予め設定された情報の組み合わせを満たした場合、図５に示すように、結果表示部１７に青色で光らせるなどして、読み取り済みの情報が予め設定された情報の組み合わせを満たしたことを報知する。
【００３５】
本実施形態では、報知部３０９は、結果表示部１７に表示する色を変えることにより、読み取り済みの情報が予め設定された情報の組み合わせを満たしたことを報知しているが、これに限定するものではなく、例えば、予め設定された情報の組み合わせを満たしたことを識別可能な情報（例えば、丸印など）を表示することにより（図６参照）、読み取り済みの情報が予め設定された情報の組み合わせを満たしたことを報知しても良い。
【００３６】
また、報知部３０９は、読み取り済みの情報が予め設定された情報の組み合わせを満たしておらずかつ最後にバーコードＢＣから情報が読み取られてから所定時間経過した場合、閉状態で、結果表示部１７を赤色に光らせるなどして、読み取り済みの情報が、予め設定された情報の組み合わせを満たしていないことを報知することも可能である。これにより、三点認証が完了していないことを看護師に知らせることができる。
【００３７】
一の読み取り済みの情報（最後に読み取られた情報）が、予め設定された情報の組み合わせに含まれない場合（ステップＳ４０５：Ｎｏ）、制御部３０８は、予め設定された情報の組み合わせに関する組合せ情報を表示画面Ｇに表示させかつ主操作部３０４を介して情報の読み取りの再開が指示されるまで読取部１５による情報の読み取りを禁止する（ステップＳ４０８）。本実施形態では、制御部３０８は、一の読み取り済みの情報が予め設定された情報の組み合わせに含まれない場合、予め設定された組み合わせに含まれる情報若しくは予め設定された組み合わせに含まれる情報のうち未だ読み取られていない情報を組合せ情報として表示画面Ｇに表示させる。これにより、表示画面Ｇに表示された組合せ情報を視認して、読取部１５に読み取らせる必要がある情報を確認することができる。また、制御部３０８は、主操作部３０４を介して情報の読み取りの再開が指示されるまで、読取ボタン１６から読み取りが指示されても、読取部１５に対して情報の読み取りを指示しないことにより、読取部１５による情報の読み取りを禁止する。
【００３８】
この場合、報知部３０９は、閉状態で、読み取り済みの情報が予め設定された情報の組み合わせを満たしていないことを報知する（ステップＳ４０９）。本実施形態では、報知部３０９は、読み取り済みの情報が予め設定された情報の組み合わせを満たしていない場合、図５に示すように、結果表示部１７に赤色で光らせかつ端末装置１０のバイブレーション機能を利用して端末装置１０を振動させるなどして、読み取り済みの情報が予め設定された情報の組み合わせを満たしていないことを報知する。本実施形態では、報知部３０９は、結果表示部１７に表示する色を変えたり端末装置１０を振動させたりすることにより、読み取り済みの情報が予め設定された情報の組み合わせを満たしていないことを報知しているが、これに限定するものではなく、例えば、予め設定された情報の組み合わせを満たしていないことを識別可能な情報（例えば、×印など）を表示することにより（図６参照）、読み取り済みの情報が予め設定された情報の組み合わせを満たしていないことを報知しても良い。
【００３９】
その後、主操作部３０４を介して情報の読み取りの再開が指示されると（ステップＳ４１０：Ｙｅｓ）、制御部３０８は、ステップＳ４０３に戻り、読取ボタン１６により読取部１５による読み取りが指示されたか否かを判断し、読取部１５による読み取りが指示された場合には、読取部１５に対してバーコードＢＣからの情報の読み取りを指示する。一方、主操作部３０４を介して情報の読み取りの再開が指示されずに所定時間経過した場合（ステップＳ４１０：Ｎｏ）、制御部３０８は、三点認証の実行を終了する。
【００４０】
このように本実施形態にかかる端末装置１０によれば、読み取り済みの情報が予め設定された情報の組み合わせを満たしている間、端末装置１０を閉状態に維持したまま、バーコードＢＣの読み取りを継続することができるので、複数のバーコードＢＣからの情報の読み取りをスムーズに行うことができる。
【００４１】
本実施形態の端末装置１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４２】
また、本実施形態の端末装置１０で実行されるプログラムを、インターネット等のネットワークに接続されたコンピュータ上に格納し、ネットワーク経由でダウンロードさせることにより提供するように構成しても良い。また、本実施形態の端末装置１０で実行されるプログラムをインターネット等のネットワーク経由で提供または配布するように構成しても良い。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４４】
１０  端末装置
１１  筐体
１３  第１筐体
１４  第２筐体
１３ａ  表示部
１３ｂ  タッチパネル
１４ａ  操作部
１５  読取部
１６  読取ボタン
１７  結果表示部
３０１  ＣＰＵ
３０２  ＲＯＭ
３０３  ＲＡＭ
３０４  主操作部
３０５  副操作部
３０６  記憶部
３０８  制御部
３０９  報知部
Ｇ  表示画面
【先行技術文献】
【特許文献】
【００４５】
【特許文献１】特開２００８−２１７８３８号公報
【図１】
2014171476.tif 000003
【図２】
2014171476.tif 000004
【図３】
2014171476.tif 000005
【図４】
2014171476.tif 000006
【図５】
2014171476.tif 000007
【図６】
2014171476.tif 000008